(57)【要約】  【課題】  樹木葬を容易にする。  【解決手段】  骨壺１の内部には、仕切り部１１により仕切られた苗収容部１０４と骨収容部１３０とが設けられている。苗収容部１０４の外壁には、植物の苗を植樹するための植樹用開口１００と、植物の根がはい出すための側面開口部１０２とが設けられており、この苗収容部１０４には、植物の苗が植樹される。また、苗収容部１０４と骨収容部１３０とを仕切る仕切り部１１は、木材などの自然分解性の材料で構成されており、骨壺１の埋葬後に、バクテリアなどによって分解され、植物の栄養素となる。【選択図】図２
2010104458.tif 000002
【特許請求の範囲】
【請求項１】
骨灰を入れる骨壺であって、
少なくとも骨灰を収めるための骨収容部と、
少なくとも苗木を収めるための苗収容部と
を有し、
前記２つの収容部の仕切り部が自然分解する
骨壺。
【請求項２】
前記苗収容部は、植物の育苗に必要な栄養剤を収容する
請求項１に記載の骨壺。
【請求項３】
前記骨収容部及び前記苗収容部は、土中に埋設することによって自然分解されて植物の栄養素となる素材から作られてなる
請求項１に記載の骨壺。
【請求項４】
前記骨収容部及び前記苗収容部は、木材で構成され、
これらの収容部の内側は、炭化処理されてなる
請求項３に記載の骨壺。
【請求項５】
前記苗収容部は、苗木植樹用の開口部を有する
請求項１に記載の骨壺。
【請求項６】
前記苗収容部は、苗木の根が生育しやすいように孔を有する
請求項５に記載の骨壺。
【発明の詳細な説明】
【技術分野】
【０００１】
本発明は、骨壺に関する。
【背景技術】
【０００２】
例えば、特許文献１には、水溶紙で形成された紙製骨壺が開示されている。
【特許文献１】特開２００７−１１１０８１号公報
【発明の開示】
【発明が解決しようとする課題】
【０００３】
本発明は、上述した背景からなされたものであり、樹木葬を容易にすることを目的とする。
【課題を解決するための手段】
【０００４】
上記目的を達成するために、本発明に係る骨壺は、骨灰を入れる骨壺であって、少なくとも骨灰を収めるための骨収容部と、少なくとも苗木を収めるための苗収容部とを有し、前記２つの収容部の仕切り部が自然分解する。
【０００５】
好適には、前記苗収容部は、植物の育苗に必要な栄養剤を収容する。
【０００６】
好適には、前記骨収容部及び前記苗収容部は、土中に埋設することによって自然分解されて植物の栄養素となる素材から作られてなる。
【０００７】
好適には、前記骨収容部及び前記苗収容部は、木材で構成され、これらの収容部の内側は、炭化処理されてなる。
【０００８】
好適には、前記苗収容部は、苗木植樹用の開口部を有する。
【０００９】
好適には、前記苗収容部は、苗木の根が生育しやすいように孔を有する。
【発明の効果】
【００１０】
本発明によれば、樹木葬を容易にすることができる。
【発明を実施するための最良の形態】
【００１１】
図１は、本実施形態における骨壺１の斜視図である。
図１に例示するように、骨壺１は、上部構成体１０、下部構成体１２、及び、引出部１３により構成されている。
上部構成体１０は、中空となった箱状の形状を有し、その上面には、植樹用開口１００が設けられ、その側面には、側面開口１０２が設けられている。植樹用開口１００は、植樹を行うための開口であり、植物の苗などを挿入できる程度の大きさの開口である。
また、側面開口１０２は、植物の根がはい出すための穴であり、例えば、直径１ｃｍ〜１０ｃｍ程度の開口である。
下部構成体１２は、中空となった箱状の形状を有し、その全面には、引出部１３を挿入するための開口が設けられている。
引出部１３は、下部構成体１２に挿入された引出しであり、下部構成体１２に対して着脱自在に収容されている。
【００１２】
図１では、説明の便宜上、上部構成体１０と下部構成体１２とを分けて説明しているが、実際には一体である。このように、本例の上部構成体１０と下部構成体１２とは一体となっているが、これに限定されるものではなく、これらを別体として構成し、互いに連結していてもよい。
【００１３】
図２は、骨壺１（図１）の縦断面である。
図２に例示するように、上部構成体１０の内部は、苗収容部１０４が設けられている。
また、下部構成体１２の内部には、引出部１３が挿入されており、この引出部１３に骨収容部１３０が設けられている。すなわち、引出部１３の凹部（受け皿状の部分）が骨収容部１３０となっている。
苗収容部１０４と骨収容部１３０とは、仕切り部１１によって仕切られている。本例の仕切り部１１は、上部構成体１０及び下部構成体１２と同じ材質で構成されているが、これに限定されるものではなく、水又はバクテリアなどによって自然分解する材料であれば何でもよい。
【００１４】
本例の上部構成体１０、仕切り部１１、下部構成体１２及び引出部１３は、木材で構成されている。木材は、バクテリアなどによって分解され、植物の栄養素となる。
また、上部構成体１０及び引出部１３の内側と、仕切り部１１の両面とは、炭化処理によって殺菌されている。木材の炭化処理により、脱臭効果や根腐れ防止が期待できる。
【００１５】
次に、図３を参照して、骨壺１を用いた埋葬方法を説明する。
図３は、埋葬された骨壺１を例示する図である。
図３に例示するように、骨灰と元肥料とを混合し、その混合物を引出部１３の骨収容部１３０に納めて、この引出部１３を下部構成体１２の中に収容する。
次に、苗の育成に必要な栄養剤と土とが収容された苗収容部１０４に対して、植樹用開口１００を介して、所望の苗を植樹する。植樹される苗は、例えば、生前の好みや遺族の希望に合った苗木である。
最後に、苗が植樹された骨壺１を地中に埋める。その際に、図３に例示するように、苗の上部が地表からでるようにする。
なお、骨壺１を地中に埋めた後に植樹を行ってもよい。この場合、骨壺１の上面（植樹用開口１００）が地表から現れるように埋めることが望ましい。
【００１６】
上記のように骨壺１を用いて埋葬を行えば、植樹された苗が成育して、その根が苗収容部１０４からはい出してくる。また、仕切り部１１なども自然分解されて、苗の根が骨収容部１３０の骨灰などにも伸びていくことが期待できる。
【００１７】
以上説明したように、本実施形態の骨壺１によれば、自然分解する仕切り部１１により仕切られた苗収容部１０４及び骨収容部１３０に、苗及び遺灰をそれぞれ収容して埋葬することができる。
また、骨壷１の容器の素材と形態の組み合わせにより、樹木葬と苗木活着生によって、自然保護と葬祭とを連動させ、自然界の循環サイクルを蘇生させることが期待できる。
【００１８】
［変形例］
次に、上記実施形態の変形例を説明する。
図４は、骨壺１の第１の変形例を説明する断面図である。
本変形例の骨壺１は、図４に例示するように、上部ユニット１２０、複数の拡張ユニット１２２及び下部ユニット１２４からなる下部構成体１２を有する。
上部ユニット１２０及び下部ユニット１２４は、図２の下部構成体１２を水平面で分断した上部及び下部であり、それらの端部（他のユニットと接続する部分）には、連結機構（例えば、ネジ構造）が設けられている。
また、拡張ユニット１２２は、図４に例示するように、上部ユニット１２０又は下部ユニット１２４と略同一形状の水平断面を有する。したがって、拡張ユニット１２２は、上部ユニット１２０の底面、又は、下部ユニット１２４の天面と連続的に連結できる。また、拡張ユニット１２２の壁面の厚さは、上部ユニット１２０又は下部ユニット１２４の壁面と略同一であることが望ましい。また、拡張ユニット１２２の上端及び下端には、他の拡張ユニット１２２、上部ユニット１２０又は下部ユニット１２４と連結するための連結機構（例えば、ネジ構造）を有する。これにより、図４に例示するように、上部ユニット１２０と下部ユニット１２４との間に、所望の数の拡張ユニット１２２（本例では２つの拡張ユニット１２２Ａ及び１２２Ｂ）を挿入し、連結機構で互いに連結させて、所望の容量の下部構成体１２を構成することができる。
このように、本変形例によれば、各ユニットを共用して、種々のサイズの下部構成体１２を構成することができ、種々の量又はサイズの遺灰を収容可能になる。
【００１９】
図５は、骨壺１の第２の変形例を説明する断面図である。
図５に例示するように、引出部１３の中に、内箱１４を挿入することによって、骨収容部１３０の大きさ又は形状を調整してもよい。本例では、入れ子状となる複数の内箱１４を予め用意しておき、要求される骨収容部１３０のサイズに応じて、内箱１４を順に挿入する。本例の内箱１４Ａ〜Ｂは、互いに相似形状であり、かつ、入れ子状となるようにサイズが異なる。なお、本例では、入れ子状となるように、相似形状の内箱１４を用いる形態を説明したが、これに限定されるものではなく、異なる形状の内箱１４を用いてもよい。
【図面の簡単な説明】
【００２０】
【図１】本実施形態における骨壺１の斜視図である。
【図２】骨壺１（図１）の縦断面である。
【図３】埋葬された骨壺１を例示する図である。
【図４】骨壺１の第１の変形例を説明する断面図である。
【図５】骨壺１の第２の変形例を説明する断面図である。
【符号の説明】
【００２１】
１・・・骨壺
１０・・・上部構成体
１００・・・植樹用開口
１０２・・・側面開口
１０４・・・苗収容部
１１・・・仕切り部
１２・・・下部構成体
１２０・・・上部ユニット
１２２・・・拡張ユニット
１２４・・・下部ユニット
１３・・・引出部
１３０・・・骨収容部
１４・・・内箱
【図１】
2010104458.tif 000003
【図２】
2010104458.tif 000004
【図３】
2010104458.tif 000005
【図４】
2010104458.tif 000006
【図５】
2010104458.tif 000007